(57)【特許請求の範囲】
【請求項１】
ａ．筒形状をなす首部（１１）を有し、この首部の外周に雄ねじ部（１２）を形成してなり、流動体を収納する容器本体（１０）と、
ｂ．上記容器本体の首部の開口縁部（１１ａ）と対向する閉塞部（２１）と、この閉塞部に連なる筒形状のスカート部（２２）を有し、このスカート部の内周に、上記容器本体の首部の雄ねじ部に螺合される雌ねじ部（２６）を形成してなるキャップ（２０）と、
を備えた流動体収納容器において、
上記容器本体（１０）の首部（１１）の開口縁部（１１ａ）と上記キャップ（２０）の閉塞部（２１）の少なくとも一方に環状の第１シール部（２４）が設けられ、この第１シール部は、上記キャップが上記容器本体に対して締め付けられた位置にある時に、上記首部の開口縁部と上記キャップの閉塞部との間をシールし、上記キャップが上記容器本体に対して緩められた位置にある時に上記首部の開口縁部と上記キャップの閉塞部との間のシール状態を解除し、
上記キャップ（２０）の閉塞部（２１）には、上記第１シール部（２４）の径方向外側に流路（２５）が形成され、この流路は、上記キャップが上記の緩められた位置にあって上記第１シール部がシール解除状態にある時に、上記容器本体（１０）の内部空間と連なって、流動体の供給を可能にし、
さらに回動規制構造（１６，２８）を備え、この回動規制構造は、上記容器本体（１０）の首部（１１）外周に設けられた第１係合部（１６）と、上記キャップ（２０）のスカート部（２２）に設けられ上記第１係合部（１６）と相補的な第２係合部（２８）とを有し、上記キャップ（２０）が所定の緩められた位置にある時に上記第１、第２係合部が互いに係合し、これにより、上記容器本体の首部に対する上記キャップの締め方向および緩め方向の回動に対する抵抗を提供し、
上記回動規制構造（１６，２８）は、上記キャップ（２０）に対して所定トルク以上の締め方向トルクが付与された時に、上記容器本体（１０）の首部（１１）に対して上記キャップが締め方向に回動するのを許容し、
上記第１係合部は、上記容器本体（１０）の首部（１１）の外周に局所的に設けられた回動規制用凸部（１６）を含み、
上記第２係合部は、上記キャップ（２０）のスカート部（２２）の開口縁部の内周に設けられ径方向に弾性変形可能な環状の係止片（２８）を含み、
上記係止片（２８）には切欠（２８ａ）が形成されており、上記回動規制用凸部（１６）は、上記キャップ（２０）が上記所定の緩められた位置にある時に、この係止片（２８）の切欠（２８ａ）に嵌ることを特徴とする流動体収納容器。
【請求項２】
上記容器本体（１０）の首部（１１）の外周には、上記回動規制用凸部（１６）から見て上記首部（１１）の開口縁部（１１ａ）側に位置する環状の脱落防止用凸部（１５）が形成され、上記キャップ（２０）の係止片（２８）が上記脱落防止用凸部（１５）を超えた状態で、その先端縁が上記脱落防止用凸部に係止されることにより、上記首部（１１）からの上記キャップ（２０）の脱落が防止されることを特徴とする請求項１に記載の流動体収納容器。
【請求項３】
上記容器本体（１０）の首部（１１）の外周には、上記回動規制用凸部（１６）から見て上記首部の開口縁部（１１ａ）とは反対側に緩み止め用凸部（１７）が局所的に形成され、この緩み止め用凸部は、上記キャップ（２０）が上記締め付けられた位置にある時に、上記係止片（２８）の上記切欠（２８ａ）または当該切欠から周方向に離れた他の切欠（２８ｂ）に嵌ることを特徴とする請求項１に記載の流動体収納容器。
【請求項４】
ａ．筒形状をなす首部（１１）を有し、この首部の外周に雄ねじ部（１２）を形成してなり、流動体を収納する容器本体（１０）と、
ｂ．上記容器本体の首部の開口縁部（１１ａ）と対向する閉塞部（２１）と、この閉塞部に連なる筒形状のスカート部（２２）を有し、このスカート部の内周に、上記容器本体の首部の雄ねじ部に螺合される雌ねじ部（２６）を形成してなるキャップ（２０）と、
を備えた流動体収納容器において、
上記容器本体（１０）の首部（１１）の開口縁部（１１ａ）と上記キャップ（２０）の閉塞部（２１）の少なくとも一方に環状の第１シール部（２４）が設けられ、この第１シール部は、上記キャップが上記容器本体に対して締め付けられた位置にある時に、上記首部の開口縁部と上記キャップの閉塞部との間をシールし、上記キャップが上記容器本体に対して緩められた位置にある時に上記首部の開口縁部と上記キャップの閉塞部との間のシール状態を解除し、
上記キャップ（２０）の閉塞部（２１）には、上記第１シール部（２４）の径方向外側に流路（２５）が形成され、この流路は、上記キャップが上記の緩められた位置にあって上記第１シール部がシール解除状態にある時に、上記容器本体（１０）の内部空間と連なって、流動体の供給を可能にし、
さらに回動規制構造（５１，６０）を備え、この回動規制構造は、上記容器本体（１０）の首部（１１）外周に設けられた第１係合部（５１）と、上記キャップ（２０）のスカート部（２２）に設けられ上記第１係合部（５１）と相補的な第２係合部（６０）とを有し、上記キャップ（２０）が所定の緩められた位置にある時に上記第１、第２係合部が互いに係合し、これにより、上記容器本体の首部に対する上記キャップの締め方向および緩め方向の回動に対する抵抗を提供し、
上記回動規制構造（５１，６０）は、上記キャップ（２０）に対して所定 
トルク以上の締め方向トルクが付与された時に、上記容器本体（１０）の首部（１１）に対して上記キャップが締め方向に回動するのを許容し、
上記第１係合部（５１）は、容器本体（１０）の首部（１１）の外周の少なくとも1箇
所に形成され周方向に離れた第１、第２の凸部（５２）、（５３）と、これら第１凸部（５２）と第２凸部（５３）との間に形成された凹部（５４）とを含み、
上記第２係合部は、上記キャップ（２０）のスカート部（２２）の開口縁部に設けられ開口縁部から軸方向に突出する係合凸部（６０）を含み、
上記キャップ（２０）が上記所定の緩められた位置にある時、上記係合凸部（６０）が上記第１係合部（５１）の凹部（５４）に嵌ることを特徴とする流動体収納容器。
【請求項５】
上記キャップ（２０）の締め方向に向かって、上記第１凸部（５２）と第２凸部（５３）がこの順に配置されており、上記第１凸部が第２凸部より高いことを特徴とする請求項４に記載の流動体収納容器。
【請求項６】
さらに、上記容器本体（１０）の首部（１１）外周と上記キャップ（２０）のスカート部（２２）内周の少なくとも一方に環状の第２シール部（１４）が設けられ、この第２シール部は、少なくとも上記キャップが所定の緩められた位置にある時に上記首部外周とスカート部内周との間をシールすることを特徴とする請求項１〜５のいずれかに記載の流動体収納容器。
【請求項７】
上記第２シール部（１４）が上記容器本体（１０）の首部（１１）において上記雄ねじ部（１２）と上記開口縁部（１１ａ）との間の外周に突出形成され、
上記キャップ（２０）のスカート部（２２）における上記閉塞部（２１）と上記雌ねじ部（２６）との間の内周は、軸方向に所定長さにわたって等しい内径の円筒面からなる接触面（２７）を有し、
少なくとも上記キャップ（２０）の上記締め付けられた位置から上記所定の緩められた位置までの回動範囲において、上記第２シール部（１４）が上記接触面（２７）に接していることを特徴とする請求項６に記載の流動体収納容器。
【請求項８】
上記キャップ（２０）は上記閉塞部（２１）と一体をなすパッド取付部（２３）を有し、このパッド取付部に塗布パッド（３０）が取り付けられており、上記閉塞部の流路（２５）が上記パッド取付部に形成された連通路（２３ｘ）を介して上記塗布パッドに連なり、これにより塗布器具として提供されることを特徴とする請求項１〜７のいずれかに記載の流動体収納容器。
【請求項９】
上記キャップ（２０）のパッド取付部（２３）は、上記スカート部（２２）と同軸をなす支持筒部（２３ａ）と、この支持筒部（２３ａ）の先端に形成された鍔部（２３ｂ）を有し、この鍔部に塗布パッド（３０）が取り付けられており、
上記閉塞部（２１）が円盤形状をなし、この閉塞部に周方向に間隔をおいて形成された複数の小孔が上記閉塞部の流路（２５）として提供され、上記支持筒部（２３ａ）の内部空間が上記パッド取付部（２３）の連通路（２３ｘ）として提供されることを特徴とする請求項８に記載の流動体収納容器。
【発明の詳細な説明】
【技術分野】
【０００１】
本発明は、流動体を塗布する器具等に適用される流動体収納容器の改良に関する。
【背景技術】
【０００２】
手術に先立ち患者の皮膚に流動性を有する消毒剤を塗る器具（流動体収納容器）は、保管時には消毒剤を密封状態で収容し、使用時には消毒剤の供給を可能にすることが求められる。【０００３】
特許文献１に開示されている塗布器具は、消毒剤を収容する容器本体と、塗布パッドを取り付けたキャップと、これら容器本体とキャップを連結するコネクタとを備えている。
上記容器本体は、外周にねじを有する首部を有し、この首部の開口端に貼られたシール膜により、容器本体の内部空間がシールされている。
上記コネクタは筒形状をなし、上記容器本体の首部に螺合される下側連結部と、上記キャップに連結される上側連結部とを有している。上側連結部の外周には、上記キャップを第１、第２の位置で保持するために、軸方向に離間した第１係合溝と第２係合溝が形成されている。
上記キャップは、上記塗布パッドを取り付けるパッド取付部と、同軸をなす外筒部と内筒部を有しており、外筒部の内周に係合爪が形成され、内筒部の下端に尖った突き刺し部が形成されている。【０００４】
上記コネクタの上側連結部は、上記キャップの外筒部と内筒部との間に嵌っており、キャップの係合爪がコネクタの第１係合溝に係合することにより、キャップが第１位置でコネクタに支持されている。この状態ではキャップの突き刺し部が容器本体のシール膜から離れており、容器本体は消毒剤を密閉状態で保存することができる。【０００５】
使用時には、上記キャップを上記容器本体に向かって押し込む。これにより、キャップの突き刺し部が容器本体のシール膜を破壊し、その結果、容器本体の内部空間とキャップの内筒部が連通状態となり、消毒剤の供給が可能となる。上記キャップは、その係合爪が上記コネクタの第２係合溝に係合することにより、第２位置（消毒剤供給可能な位置）でコネクタに支持される。
【先行技術文献】
【特許文献】
【０００６】
【特許文献１】特表２００２−５１７３５８号公報(ＷＯ９９／６３９３４号公報に対応する)
【発明の概要】
【発明が解決しようとする課題】
【０００７】
しかし、上記特許文献１の塗布器具では、基本構成として容器本体とコネクタとキャップの３つの要素を必要とするため部品点数が多かった。しかも、容器本体の開口端にシール膜を貼る必要があるため、コストの増大を招く欠点があった。
【課題を解決するための手段】
【０００８】
上記課題を解決するため、本発明は、
ａ．筒形状をなす首部を有し、この首部の外周に雄ねじ部を形成してなり、流動体を収納する容器本体と、
ｂ．上記容器本体の首部の開口縁部と対向する閉塞部と、この閉塞部に連なる筒形状のスカート部を有し、このスカート部の内周に、上記容器本体の首部の雄ねじ部に螺合される雌ねじ部を形成してなるキャップと、
を備えた流動体収納容器において、
上記容器本体の首部の開口縁部と上記キャップの閉塞部の少なくとも一方に環状の第１シール部が設けられ、この第１シール部は、上記キャップが上記容器本体に対して締め付けられた位置にある時に、上記首部の開口縁部と上記キャップの閉塞部との間をシールし、上記キャップが上記容器本体に対して緩められた位置にある時に上記首部の開口縁部と上記キャップの閉塞部との間のシール状態を解除し、
上記キャップの閉塞部には、上記第１シール部の径方向外側に流路が形成され、この流路は、上記キャップが上記の緩められた位置にあって上記第１シール部がシール解除状態にある時に、上記容器本体の内部空間と連なって、流動体の供給を可能にすることを特徴とする。【０００９】
上記構成によれば、流動体収納容器の基本構造が容器本体とキャップからなるので、部品点数が少なくて済む。
キャップを容器本体に締め付けた状態において、第１シール手段により容器本体の開口縁部とキャップとの間をシールすることにより、容器本体の内部空間の密閉状態を維持できる。
キャップを容器本体に対して相対的にねじ回して緩めることにより、容器本体の開口縁部とキャップとの間のシール状態を解除でき、容器本体の内部空間をキャップの閉塞部に形成された流路に連通させることができる。そのため、キャップを容器本体の首部に装着したままで、容器本体内に収容された流動体を供給することができる。
従来技術に見られるような容器本体の首部に貼る破壊可能なシール膜を必要とせず、製造コストを低減できる。【００１０】
好ましくは、さらに、上記容器本体の首部外周と上記キャップのスカート部内周の少なくとも一方に環状の第２シール部が設けられ、この第２シール部は、少なくとも上記キャップが所定の緩められた位置にある時に上記首部外周とスカート部内周との間をシールする。
上記構成によれば、キャップを緩めることにより流動体をキャップ閉塞部の流路から供給可能にした状態において、第２シール部によりキャップのスカート部と容器本体の首部との間の隙間から流動体が漏れるのを防止することができる。【００１１】
好ましくは、上記第２シール部が上記容器本体の首部において上記雄ねじ部と上記開口縁部との間の外周に突出形成され、上記キャップのスカート部における上記閉塞部と上記雌ねじ部との間の内周は、軸方向に所定長さにわたって等しい内径の円筒面からなる接触面を有し、少なくとも上記キャップの上記締め付けられた位置から上記所定の緩められた位置までの回動範囲において、上記第２シール部が上記接触面に接している。【００１２】
好ましくは、さらに回動規制構造を備え、この回動規制構造は、上記容器本体の首部外周に設けられた第１係合部と、上記キャップのスカート部に設けられ上記第１係合部と相補的な第２係合部とを有し、上記キャップが所定の緩められた位置にある時に上記第１、第２係合部が互いに係合し、これにより、上記容器本体の首部に対する上記キャップの締め方向および緩め方向の回動に対する抵抗を提供する。
上記構成によれば、キャップが所定の緩められた位置で保持されるので、安定して流動体を供給することができる。【００１３】
好ましくは、上記回動規制構造は、上記キャップに対して所定トルク以上の締め方向トルクが付与された時に、上記容器本体の首部に対して上記キャップが締め方向に回動するのを許容する。
上記構成によれば、必要に応じてキャップを締めて元の容器密閉状態に戻すことができる。【００１４】
好ましくは、上記第１係合部は、上記容器本体の首部の外周に局所的に設けられた回動規制用凸部を含み、上記第２係合部は、上記キャップのスカート部の開口縁部の内周に設けられ径方向に弾性変形可能な環状の係止片を含み、上記係止片には切欠が形成されており、上記回動規制用凸部は、上記キャップが上記所定の緩められた位置にある時に、この係止片の切欠に嵌る。
上記構成によれば、上記係止片と回動規制用凸部により、比較的簡単な構成で回動規制を行うことができる。【００１５】
好ましくは、上記容器本体の首部の外周には、上記回動規制用凸部から見て上記首部の開口縁部側に位置する環状の脱落防止用凸部が形成され、上記キャップの係止片が上記脱落防止用凸部を超えた状態で、その先端縁が上記脱落防止用凸部に係止されることにより、上記首部からの上記キャップの脱落が防止される。
上記構成によれば、流動体供給時のキャップの回動を規制するために用いられる係止片を兼用してキャップの脱落も防止することができる。【００１６】
好ましくは、上記容器本体の首部の外周には、上記回動規制用凸部から見て上記首部の開口縁部とは反対側に緩み止め用凸部が局所的に形成され、この緩み止め用凸部は、上記キャップが上記締め付けられた位置にある時に、上記係止片の上記切欠または当該切欠から周方向に離れた他の切欠に嵌る。
上記構成によれば、流動体供給時のキャップの回動を規制するために用いられる係止片を兼用して、密封時のキャップの緩みを防止することができる。【００１７】
好ましくは、上記第１係合部は、容器本体の首部の外周の少なくとも1箇所に形成され周方向に離れた第１、第２の凸部と、これら第１凸部と第２凸部との間に形成された凹部とを含み、上記第２係合部は、上記キャップのスカート部の開口縁部に設けられ開口縁部から軸方向に突出する係合凸部を含み、上記キャップが上記所定の緩められた位置にある時、上記係合凸部が上記第１係合部の凹部に嵌る。
上記構成によれば、上記第１、第２凸部と係合凸部により、比較的簡単な構成で回動規制を行うことができる。【００１８】
好ましくは、上記キャップの締め方向に向かって、上記第１凸部と第２凸部がこの順に配置されており、上記第１凸部が第２凸部より高い。
上記構成によれば、キャップの緩め方向の回動に対する抵抗を大きくし、流動体が過剰に供給されるのを、より確実に阻止することができる。【００１９】
好ましくは、上記キャップは上記閉塞部と一体をなすパッド取付部を有し、このパッド取付部に塗布パッドが取り付けられており、上記閉塞部の流路が上記パッド取付部に形成された連通路を介して上記塗布パッドに連なり、これにより塗布器具として提供される。
上記構成によれば、キャップを緩めるだけの簡単な操作により、容器本体の流動体を上記流路、連通路を経由して塗布パッドまで供給することが可能となり、しかも低コストで塗布器具を提供できる。【００２０】
より好ましくは、上記キャップのパッド取付部は、上記スカート部と同軸をなす支持筒部と、この支持筒部の先端に形成された鍔部を有し、この鍔部に塗布パッドが取り付けられており、上記閉塞部が円盤形状をなし、この閉塞部に周方向に間隔をおいて形成された複数の小孔が上記閉塞部の流路として提供され、上記支持筒部の内部空間が上記パッド取付部の連通路として提供される。
【発明の効果】
【００２１】
本発明によれば、部品点数が少なく製造コストを低減でき、しかも、キャップのねじ回しによりキャップを容器本体に装着したままで流動体の供給を行うことができる。
【図面の簡単な説明】
【００２２】
【図１】本発明の第１実施形態をなす消毒液塗布器具における容器本体の首部とキャップを分解して示す縦断面図である。
【図２】（Ａ）は上記キャップを、塗布パッドを省いた状態で示す平面図、（Ｂ）は図１においてＢ−Ｂ線に沿うキャップの横断面図、（Ｃ）は図１においてＣ−Ｃ線に沿う容器本体の首部の横断面図、（Ｄ）は図１においてＤ−Ｄ線に沿う容器本体の首部の横断面図である。
【図３】上記容器本体の首部と上記キャップの組み立て工程を示した縦断面図であり、（Ａ）は上記首部とキャップのねじ山同士が当たった状態を示し、（Ｂ）はさらに螺合を進めることにより首部の脱落防止用凸部がキャップの係止片を押し広げた状態を示し、（Ｃ）は首部の回動規制用凸部が係止片の第１切欠に嵌った状態を示す。
【図４】（Ａ）は図３（Ｃ）の状態からさらに９０°螺合を進めた状態を示し、（Ｂ）はさらに９０°螺合を進めた締め付け・密封状態を示すとともに緩み防止用凸部が係止片の第２切欠に嵌った状態を示し、（Ｃ）は締め付け・密封状態から１８０°緩めて消毒液供給を可能にした状態を示す。
【図５】上記締め付け・密封状態の器具の要部拡大断面図である。
【図６】上記消毒液供給可能な状態の器具の要部拡大断面図である。
【図７】本発明の第２実施形態をなす消毒液塗布器具を示すもので、（Ａ）はキャップが締め付けられた位置にある状態の側面図、（Ｂ）はキャップが９０°回して所定の緩められた位置にある状態の側面図である。
【図８】同第２実施形態の器具における容器本体とキャップの要部分解側面図であり、キャップを断面にして示す。
【図９】（Ａ）は図７（Ａ）におけるＡ−Ａ線に沿う拡大断面図であり、（Ｂ）は図７（Ｂ）におけるＢ−Ｂ線に沿う拡大断面図である。
【図１０】（Ａ）は、同第２実施形態においてキャップが締め付けられた状態の器具の要部拡大縦断面図であり、（Ｂ）は図１０（Ａ）におけるＢ−Ｂ線に沿う要部拡大縦断面図である。
【図１１】（Ａ）は、同第２実施形態においてキャップが所定の緩められた状態の器具の要部拡大縦断面図であり、（Ｂ）は図１１（Ａ）におけるＢ−Ｂ線に沿う要部拡大縦断面図である。
【発明を実施するための形態】
【００２３】
以下、本発明の第１実施形態をなす消毒液（流動性を有する消毒剤、流動体）を塗布するための使い捨て式の器具（流動体収納容器）について、図面を参照しながら説明する。
図１に示すように、この消毒液塗布器具は、樹脂製の容器本体１０と、樹脂製のキャップ２０と、塗布パッド３０とを備えている。塗布パッド３０は、スポンジや不織布等、流動体を通過させることが可能な材料からなる。
【００２４】
上記容器本体１０は細長い筒形状をなす胴部（図示しない）と、開口された円筒形状の首部１１を同軸に一体に有し、消毒液を収納している。なお本実施形態では、容器本体１０の胴部は断面楕円形をなし、押して弾性変形させることにより、消毒液を押し出すことができるようになっている。
上記首部１１の開口縁部１１ａは、短筒形状をなすとともに、首部１１の他の部位より小径をなしている。
【００２５】
上記首部１１の外周には雄ねじ部１２が形成されている。
さらに上記首部１１の外周には、上記開口縁部１１ａと雄ねじ部１２との間において、後述の作用をなす環状の第２シール部１４が突出して形成されている。この第２シール部１４の径は雄ねじ部１２の外接円径よりも小さく、開口縁部１１ａの外径より大きい。
【００２６】
上記首部１１において、上記雄ねじ部１２から見て開口縁部１１ａの反対側（容器１０の底部側）に離れた部位の外周には、環状の脱落防止用凸部１５が形成されている。この脱落防止用凸部１５は、開口縁部１１ａ側の面が緩やかに傾斜しており、反対側の面が急峻で首部１１の周面と略直交している。
【００２７】
さらに、上記首部１１において、脱落防止用凸部１５から見て開口縁部１１ａの反対側の外周には、1つ又は複数、例えば２つの回動規制用凸部１６（第１係合部）が、図２（Ｃ）に示すように互いに１８０°対向して局所的に形成されている。本実施形態では、回動規制用凸部１６は上記脱落防止用凸部１５に連なっており、その周方向両側の面および容器１０の底部側の面は丸められている。
【００２８】
さらに、上記首部１１において、上記回動規制用凸部１６から見て開口縁部１１ａの反対側の外周には、図２（Ｄ）に示すように例えば１つの緩み止め用凸部１７が局所的に形成されている。この緩み止め用凸部１７は軸方向に細長く形成されており、その周方向両側の面および軸方向の両端面が丸められている。
上記緩み止め用凸部１７は、上記回動規制用凸部１６に対して周方向に９０°ずれて配置されている。
【００２９】
上記キャップ２０は、容器本体１０の首部１１への装着状態において上記開口縁部１１ａに対向する円盤形状の閉塞部２１と、この閉塞部２１に連なる円筒形状のスカート部２２と、このスカート部２２の反対側に連なるパッド取付部２３とを一体に有している。
【００３０】
上記閉塞部２１の下面には、上記容器本体１０の首部１１の開口縁部１１ａに接する環状の第１シール部２４が突出形成されている。この第１シール部２４は、図５、図６に最も良く示すように、同心をなす３つの弾性変形可能なリング部２４ａ、２４ｂ、２４ｃを有している。中間のリング部２４ｂは、外側のリング部２４ａと内側のリング部２４ｃより低くなっている。
【００３１】
図１、図２（Ａ）に示すように、上記閉塞部２１には上記第１シール部２４より径方向外側において、複数例えば４つの小孔２５（流路）が周方向に等間隔をなして形成されている。
【００３２】
上記スカート部２２は、閉塞部２１から開口縁部２２ａに向かって３段階で厚さが減少するとともに、内径が大きくなっている。
上記スカート部２２の中間部の内周には雌ねじ部２６が形成されている。
【００３３】
上記スカート部２２において上記閉塞部２１と雌ねじ部２６との間の内周は、前述した第２シール部１４が接する接触面２７を有している。この接触面２７は、軸方向に所定長さにわたって等しい内径をなす円筒面からなる。この接触面２７の径は、上記雌ねじ部２６のねじ山の内接円の径より小さく、上記第２シール部１４と同径か若干小さい。
【００３４】
上記容器本体１０の首部１１の開口縁部１１ａの外径は上記スカート部２２における閉塞部２１の隣接部の内径に較べて小さく、これにより、開口縁部１１ａの外周とスカート部２２の内周との間には間隙が形成されている。
【００３５】
上記スカート部２２の開口縁部２２ａの内周には、薄肉をなし弾性変形可能な環状の係止爪２８（第２係合部）が形成されている。この係止爪２８は径方向、内方向に進むにしたがって上記閉塞部２１に向かうように傾斜している。
【００３６】
図１、図２（Ｂ）に示すように、上記係止爪２８には、１８０°対向する位置に一対の第１切欠２８ａが形成されるとともに、これら第１切欠２８ａと周方向に９０°離れた第２切欠２８ｂが形成されている。換言すれば、上記係止爪２８は約１８０°にわたって周方向に延びる１つの部位と、約９０°にわたって周方向に延びる２つの部位に分かれている。
【００３７】
上記キャップ２０のパッド取付部２３は、中空をなし、その内部空間２３ｘが後述の作用をなす連通路として提供される。より具体的には、上記パッド取付部２３は、上記スカート部２２と同軸をなす筒部を斜めにカットした形状をなす支持筒部２３ａと、この支持筒部２３ａに連なり、キャップ２０の中心軸線に対して傾斜した板形状の鍔部２３ｂとを有している。この鍔部２３ｂには、上記内部空間２３ｘを塞ぐ上記塗布パッド３０が取り付けられている。
【００３８】
次に、上記キャップ２０と容器本体１０の組み立て工程について図３（Ａ）〜（Ｃ）、図４（Ａ）、（Ｂ）を参照しながら説明する。以下の説明では、理解を容易にするために、キャップ２０を固定位置におき、容器本体１０をキャップ２０に対して相対的に回すことにより組み立てるものとするが、これとは逆に容器本体１０を固定位置におきキャップ２０を回してもよいことは勿論である。
【００３９】
最初に、消毒液を収容した容器本体１０を軸方向に移動させながら、その首部１１をキャップ２０のスカート部２２に差し込む。すると、図３（Ａ）に示すように、首部１１の雄ねじ部１２のねじ山がスカート部２２の雌ねじ部２６のねじ山に当たる。本実施形態では係止片２８の内径が雄ねじ部１２の外径より若干小さいので雄ねじ部１２は係止片２８を弾性変形させながら進む。なお、係止片２８の内径を雄ねじ部１２の外径より大きくしてもよい。
【００４０】
図３（Ａ）の状態から容器本体１０を回しながら首部１１をキャップ２０に向かって進めると、やがて雄ねじ部１２と雌ねじ部２６の螺合が開始される。螺合開始位置からさらに螺合を進めると、図３（Ｂ）に示すように首部１１の脱落防止用凸部１５が係止爪２８に達し、この係止爪２８を径方向、外方向に弾性変形させる。
【００４１】
さらに螺合を進めると、図３（Ｃ）に示すように脱落防止用凸部１５が係止片２８を越える。なお、本実施形態では、脱落防止用凸部１５が係止片２８を越えたと同時に、またはそれから僅かに容器本体１０を回した後で、一対の回動規制用凸部１６が係止片２８の一対の第１切欠２８ａに嵌るようになっている。このように回動規制用凸部１６が係止片２８の切欠２８ａに嵌った状態では、首部１１の第２シール部１４がスカート部２２の内周面２７に接し、首部１１とスカート部２２との間のシールがなされる。
【００４２】
図３（Ｃ）の状態から所定トルク以上のトルクで容器本体１０を締め付け方向に回すと、上記回動規制用凸部１６が係止片２８の切欠２８ａから脱し、さらに螺合を進めることができる。この際、緩み止め用凸部１７は係止片２８を弾性変形させつつ回りながら奥へと進み、図４（Ａ）に示すように係止片２８の一方の第１切欠２８ａに一旦嵌るが、さらに所定トルク以上のトルクで容器本体１０を回すことにより、この第１切欠２８ａを抜けることができる。
【００４３】
さらに螺合を進めると、図４（Ｂ）、図５に示すようにキャップ２０は完全に締め付けられた状態となる。この状態では、首部１１の開口縁部１１ａがキャップ２０の閉塞部２１の第１シール部２４に達し、この第１シール部２４のリング部２４ａ、２４ｃが開口縁部１１ａの外周および内周にそれぞれ弾性しながら接し、リング部２４ｂが開口縁部１１ｃの端面に弾性変形しながら接する。その結果、首部１１の開口縁部１１ａとキャップ２０の閉塞部２１との間がシールされ、ひいては消毒液を収容した容器本体１０の内部空間が密封される。
【００４４】
図４（Ｂ）、図５の締め付け状態では、緩み止め用凸部１７が係止片２８の第２切欠２８ｂに嵌り込み、キャップ２０の緩み止めがなされているので、上記容器本体１０の密封状態を確実に維持することができる。なお、本実施形態ではこの締め付け状態において、首部１１の第２シール部１４がスカート部２２の内周面２７に接しているので、首部１１とスカート部２２との間のシールもなされている。
【００４５】
手術に先立ち患者の皮膚の消毒を行う場合には、所定トルク以上のトルクを付与することにより、図４（Ｂ）、図５の状態から容器本体１０を緩み方向に１８０°回して図４（Ｃ）、図６の状態にする。なお、図４（Ｃ）は図３（Ｃ）と同じ断面図である。
【００４６】
上記のようにして緩めることにより、図４（Ｃ）、図６の状態にすると、首部１１の開口縁部１１ａがキャップ２０の閉塞部２１の第１シール部２４から離れ、開口縁部１１ａと閉塞部２１との間のシールが解除される。その結果、容器本体１０の内部空間は、キャップ２０の閉塞部２１の小孔２５を介して外部に連なる。
この状態で、容器本体１０を握って押すことにより、容器本体１０内の消毒液は、小孔２５を通り、パッド取付部２３の内部空間２３ｘ（連通路）を通り、さらに取付塗布パッド３０の微細な多数の孔を通って押し出され、患者の皮膚に塗ることができる。
【００４７】
上記使用状態において、首部１１の回動規制用凸部１６が係止爪２８の第１切欠２８ａに嵌っているため、キャップ２０の容器本体１０の首部１１に対する緩み量を一定に維持でき、ひいては、上記第１シール部２４と開口縁部１１ａとの間の間隔を一定に維持できる。その結果、キャップ２０が不用意に締まったり緩んだりせず、消毒液の供給を安定して行うことができる。
【００４８】
上記消毒液の供給状態において、首部１１の第２シール部１４がスカート部２２の内周面２７に接しているので、これら首部１１とスカート部２２との間のシール状態を維持でき、これにより消毒液が首部１１とスカート部２２の間から漏れるのを防止することができる。また、首部１１とスカート部２２の間から空気が漏れることも無いので、容器本体１０から消毒液を円滑に押し出すことができる。
【００４９】
本実施形態では、所定トルク以上の閉め方向のトルクをキャップ２０に付与することにより、キャップ２０の係止爪２８を弾性変形させて、第１切欠２８ａを回動規制用凸部１６から離脱させ、さらに締め付け方向にキャップ２０を相対的に回すことにより、完全に締め付けられた位置に戻すことができ、再び容器本体１０の密封状態に戻すことができる。
【００５０】
本実施形態では、消毒液を供給可能なキャップ２０が上記所定の緩められた位置にある時、所定トルク以上の緩み方向のトルクをキャップ２０に付与しても、係止片２８の先端縁が脱落防止用凸部１５に係止されているため、キャップ２０を緩み方向に回すことができない。そのため、脱落防止用凸部１５は、キャップ２０の容器本体１０からの脱落を防止する役割のみならず、キャップ２０を上記所定の緩められた位置で回動規制する構造の一部としての役割も果たす。
【００５１】
なお、上記所定の緩められた位置において、所定トルク以上の緩み方向のトルクをキャップ２０に付与することにより、第１切欠２８ａが回動規制用凸部１６を抜けることができるようにし、さらに緩み方向にキャップ２０を回した時に、係止片２８の先端縁が脱落防止用凸部１５に係止されるようにしてもよい。
【００５２】
本実施形態において、キャップを締め付け位置から緩めるために要するトルク（第２切欠２８ｂが緩み止め用凸部１７から脱するのに要するトルク）と、キャップを所定の緩め位置から締め付けるために要するトルク（回動規制用凸部１６が第１切欠２８ａから脱するのに要するトルク）は、同程度であってもよいし異なっていてもよい。
【００５３】
上記第１実施形態において、係止片２８の第１切欠２８ａと第２切欠２８ｂを共通の切欠で構成してもよい。回動規制用凸部１６と緩み止め用凸部１７は周方向位置が一致してもよい。
係止爪２８は実施形態よりさらに周方向に分割してもよい。
係止爪２８と脱落防止用凸部１５を省いて、再使用可能にしてもよい。この場合、回動規制構造および緩み止め構造の各々を、首部外周とスカート部内周にそれぞれ形成された相補的な凸部等で構成してもよい。
【００５４】
次に、本発明の第２実施形態をなす消毒液塗布器具について図７〜図１１を参照しながら説明する。本実施形態において、第１実施形態に対応する構成部には同番号を付してその詳細な説明を省略する。
図７には、消毒液塗布器具の全体が示されており、容器本体１０の胴部が符号１９で示されている。塗布パッド３０は、図７にのみ想像線で図示されている。
【００５５】
本実施形態のキャップ２０のパッド取付部２３の外観は、第１実施形態と大きく異なる。すなわち、パッド取付部２３の支持筒部２３ａは長く形成されており、鍔部２３ｂは台形をなしている。支持筒部２３ａを長くすることにより、術者が胴部１９を持った状態で、術者の手と塗布パッド３０との間隔を広げることにより塗布パッド３０の汚染を防ぐことができる。なお、鍔部２３ｂの形状は第１、第２実施形態に制限されず、種々採用可能である。キャップ２０のスカート部２２の開口縁部の外周にはローレット２９が形成されている。
【００５６】
第２実施形態において、キャップ２０の回動を所定の緩み位置で保持するための回動規制構造は、第１実施形態と大きく異なる。以下、詳述する。
図８、図９に示すように、容器本体１０の首部１１の外周には、雄ねじ部１２より胴部１９側において、雄ねじ部１２より大きい径を有する環状の突起５０が形成されている。この突起５０の外周には1箇所または複数個所、例えば１８０°周方向に離れた２箇所において、第１係合部５１を有している。各第１係合部５１は、周方向に離れるとともにキャップ２０の締め付け方向に向かってこの順に配置された第１凸部５２と第２凸部５３を有している。これら凸部５２，５３間に凹部５４が形成されている。
【００５７】
図９に示すように、上記第１、第２の凸部５２，５３は、それぞれ傾斜面５２ａ，５３ａと急峻な係止面５２ｂ，５３ｂとを有している。係止面５２ｂ，５３ｂは周方向と略直交するようにして急峻をなし、凹部５４を挟んで対峙している。第１凸部５２の係止面５２ｂは第２凸部５３の係止面５３ｂより高く、第１凸部５２の傾斜面５２ａが第２凸部５３の傾斜面５３ａより長い。
【００５８】
他方、図7、図８に示すように、上記キャップ２０のスカート部２２の開口縁部には、周方向に１８０°離れて設けられた一対の係合凸部６０（第２係合部）が形成されている。各係合凸部６０はスカート部２２の外周面から径方向外方向に突出するとともに軸方向に細長く延びており、さらに、スカート部２２の開口縁部から軸方向に突出している。図８に示すように、上記係合凸部６０の端部の内面は、下方に向かってキャップ２０の軸線から遠ざかるように傾斜した傾斜面６１となっている。
【００５９】
上記キャップ２０を，消毒液を収容した容器本体１０に組み付ける工程について説明する。
図８に示すように、容器本体１０に対してキャップ２０を軸方向に移動させて、キャップ２０のスカート部２２を首部１１に被せ、さらに、キャップ２０を回すと雄ねじ部１２と雌ねじ部２６の螺合が進み、キャップ２０は図７（Ａ）、図１０（Ａ）、（Ｂ）に示すように容器本体１０に対して完全に締め付けられた位置に達する。この状態では、首部１１の開口縁部１１ａがキャップ２０の閉塞部２１の第１シール部２４に達し、首部１１の開口縁部１１ａとキャップ２０の閉塞部２１との間がシールされ、ひいては消毒液を収容した容器本体１０の内部空間が密封される。
【００６０】
上記キャップ２０を締め付ける工程において、上記完全締め付け位置より略９０°手前において、キャップ２０の一対の係合凸部６０が容器本体１０の首部１１の一対の第１係合部５１をそれぞれ通過する。詳述すると、最初に各係合凸部６０が第１凸部５２の傾斜面５２ａを滑る。この過程でキャップ２０が弾性変形する。さらにキャップ２０を回わすと、図９（Ｂ）、図１１（Ａ）、（Ｂ）に示すように係合凸部６０が凹部５４に入り、キャップ２０が元の形状に戻る。さらにキャップ２０を回すと、係合凸部６０が第２凸部５３の係止面５３ｂを乗り越え傾斜面５３ａに沿って移動し、さらに略９０°回すことにより係合凸部９０は図９（Ａ）、図１０（Ａ）、（Ｂ）に示すように第１係合部５１と９０°離れた位置に至り、キャップ２０は完全に締め付けられた状態になる。上記係止面５３ｂが低く、しかも係合凸部６０の端部の内面が傾斜面６１となっているため、係合凸部６０は所定以上のトルクで係止面５３ｂを越えることができる。
【００６１】
使用する際には、キャップ２０を、図７（Ａ）、図９（Ａ）、図１０（Ａ）、（Ｂ）に示す完全に締め付けられた位置から緩み方向に９０°回す。これにより、係合凸部６０が第２凸部５３の傾斜面５３ａに沿って移動し、図７（Ｂ）、図９（Ｂ）、図１１（Ａ）、（Ｂ）に示すように凹部５４に入り込み、キャップ２０は所定の緩められた位置に達する。キャップ２０が上記所定の緩められた位置にある時、キャップ２０の緩み方向への回動は、キャップ２０の係合凸部６０が容器本体１０の第１凸部５２の係止面５２ｂに当たることにより、阻止される。また、キャップ２０の締め付け方向への回動は、係合凸部６０が第２凸部５３の係止面５３ｂに当たることにより、規制される。ただし、前述したように第２凸部５３が低く、係合凸部６０の内面が傾斜面６１となっているため、キャップ２０に所定のトルク以上のトルクが付与された時には、キャップ２０の締め付け方向の回動は許容される。
【００６２】
上記キャップ２０が所定の緩められた位置にある時、図１１（Ａ）、（Ｂ）に示すように、容器本体１０の首部１１の開口縁部１１ａとキャップ２０の閉塞部２１との間のシールが解除される。図では、開口縁部１１ａとシール部２４が接しているように見えるが、両者の間には環状の隙間が形成されている。このシール解除状態で、塗布パッド３０を下に向け、胴部１９を押し潰すことにより、第１実施形態と同様に消毒液が首部１１の開口縁部１１ａとキャップ２０の閉塞部２１との間の隙間を通り、閉塞部２１の小孔２５を通り、パッド取付部２３の内部空間２３ｘを通り、塗布パッド３０に供給される。
【００６３】
本発明は上記実施形態に制約されず、種々の態様を採用可能である。
第１シール部を容器本体の首部の開口縁部に設けてもよいし、相補的な第１シール部を開口縁部とキャップの閉塞部の両者に設けてもよい。
同様に、第２シール部はスカート部の内周に突出形成して容器本体の首部の外周に接するようにしてもよく、相補的な第２シール部を首部外周とキャップのスカート部の内周の両者に設けてもよい。
上記第１、第２シール部を、上記容器本体、キャップと別部材で構成してもよい。
【００６４】
上記実施形態のように容器本体を弾性変形させて流動体を押し出す代わりに、流動体を自重により供給してもよい。
上記実施形態のようにキャップのパッド取付部を中空にしてその内部空間を連通路として提供する代わりに、例えばパッド取付部を中実にして複数の小径の連通路を形成してもよい。
本発明は塗布器具以外の流動体収納容器にも適用可能である。この場合、キャップのパッド取付部と塗布パッドは省かれる。例えば飲料容器等にも適用することができる。
【産業上の利用可能性】
【００６５】
本発明の流動体収納容器は、例えば消毒液を塗布する器具として用いることができる。
【符号の説明】
【００６６】
１０  容器本体
１１  首部
１１ａ  開口縁部
１２  雄ねじ部
１４  第２シール部
１５  脱落防止用凸部
１６  回動規制用凸部（第１係合部）
１７  緩み止め用凸部
１９  胴部
２０  キャップ
２１  閉塞部
２２  スカート部
２３  パッド取付部
２３ｘ  内部空間（連通路）
２４  第１シール部
２５  小孔（流路）
２６  雌ねじ部
２７  内周面
２８  係止片（第２係合部）
２８ａ  第１切欠
２８ｂ  第２切欠
３０  塗布パッド
５１  第１係合部
５２  第１凸部
５３  第２凸部
５４  凹部
６０  係合凸部（第２係合部）
【図１】
0005485914.tif 000002
【図２】
0005485914.tif 000003
【図３】
0005485914.tif 000004
【図４】
0005485914.tif 000005
【図５】
0005485914.tif 000006
【図６】
0005485914.tif 000007
【図７】
0005485914.tif 000008
【図８】
0005485914.tif 000009
【図９】
0005485914.tif 000010
【図１０】
0005485914.tif 000011
【図１１】
0005485914.tif 000012